(57)【要約】【課題】  受け皿及び球通路レールの球抜き操作を良好とするとともに、遊技中における球通路レールの球抜きを防止することができるパチンコ遊技機を提供する。【解決手段】  受け皿５と、球通路レール７と、球送り装置８と、受け皿５上の遊技球を落下させ得る第１球抜き孔９と、第１作動部材１０と、球通路レール７における遊技球を落下させ得る第２球抜き孔１１と、第２作動部材１２とを具備したパチンコ遊技機において、ソレノイドＳ１、Ｓ２と、球抜きボタン６とを有するとともに、球抜きボタン６による球抜き開始の操作が行われた場合、発射状態では、第１球抜き孔９のみを開放させるべくソレノイドＳ１のみを駆動させ、非発射状態では、第１球抜き孔９及び第２球抜き孔１１の両者を開放させるべくソレノイドＳ１及びＳ２を駆動させるものである。【選択図】図４
2006158449.tif 000002
【特許請求の範囲】
【請求項１】
遊技者が投入する遊技球及び払い出された賞球を受け得る受け皿と、
該受け皿上の遊技球を一列に整列させつつ、遊技球を遊技盤に発射する発射装置まで延設された球通路レールと、
該球通路レール上の遊技球を前記発射装置に送るための球送り装置と、
前記受け皿上の遊技球を落下させ得る第１球抜き孔と、
該第１球抜き孔を開放又は閉塞可能とする第１作動部材と、
前記球通路レールにおける前記球送り装置直前の位置の遊技球を落下させ得る第２球抜き孔と、
該第２球抜き孔を開放又は閉塞可能とする第２作動部材と、
を具備したパチンコ遊技機において、
前記第１作動部材又は第２作動部材をそれぞれ電気的に駆動して前記第１球抜き孔又は第２球抜き孔を開放又は閉塞させる駆動手段と、
該駆動手段による駆動を開始又は停止させ得る操作手段と、
を有するとともに、前記操作手段による球抜き開始の操作が行われた場合、
遊技球が遊技盤に発射されている発射状態では、前記第１球抜き孔のみを開放させるべく前記駆動手段が前記第１作動部材のみを駆動させ、
遊技球が遊技盤に発射されていない非発射状態では、前記第１球抜き孔及び第２球抜き孔の両者を開放させるべく前記駆動手段が前記第１作動部材及び第２作動部材を駆動させることを特徴とするパチンコ遊技機。
【請求項２】
前記発射装置を駆動させて遊技盤に遊技球を発射させ得るハンドルに遊技者が触れているか否かを検知するタッチセンサを具備するとともに、前記発射状態は、当該タッチセンサが遊技者のハンドルへの把持を検知することにより認識されることを特徴とする請求項１記載のパチンコ遊技機。
【発明の詳細な説明】
【技術分野】
【０００１】
本発明は、遊技者が投入する遊技球及び払い出された賞球を受け得る受け皿を具備したパチンコ遊技機に関するものである。
【背景技術】
【０００２】
一般のパチンコ遊技機においては、その前面枠に上皿及び下皿を具備しており、上皿に遊技者が遊技球を投入するとともに、上皿で受けきれない賞球等を下皿にて受け得るよう構成されていた。しかしながら、上皿及び下皿の両者を上下２段に配設する必要上、高さ方向におけるスペースを広く必要とするため、遊技盤の大きさ等に制限が生じてしまうという不具合があった。
【０００３】
この不具合を解消すべく、従来、上皿及び下皿を共通の受け皿として単独配設させ、かかる受け皿にて遊技者が投入する遊技球及び払い出される賞球などを受け得る構成としたパチンコ遊技機が提案されるに至っている（例えば、特許文献１参照）。かかるパチンコ遊技機は、受け皿から遊技球の発射装置まで延設して遊技球を一列に整列させ得る球通路レールと、該球通路レールの遊技球を発射装置に送る球送り装置とを具備しており、受け皿及び球通路レールにおける球送り装置直前の位置には、遊技球を落下させ得る球抜き孔が形成されている。
【０００４】
そして、遊技終了後の球抜き時には、球抜きのための操作手段を操作することにより受け皿に形成された球抜き孔を開放させ、当該受け皿上の遊技球を賞球箱に落下させるとともに、別途の操作手段を操作して、球通路レールに形成された球抜き孔を開放させ、当該球通路レール上の遊技球をも賞球箱に落下させるよう構成されていた。これにより、単独の受け皿により、遊技終了の際の受け皿及び球通路レールにおける双方の遊技球の回収が行われていた。
【特許文献１】特開２００４−２０１９６３号公報
【発明の開示】
【発明が解決しようとする課題】
【０００５】
しかしながら、上記従来のパチンコ遊技機においては、遊技終了後の遊技球の回収の際、受け皿の球抜き操作と、球通路レールの球抜き操作とが別個の操作手段により行われるため、当該操作が煩雑になってしまうという問題があった。また、遊技球を遊技盤に発射している最中に、誤って球通路レールの球抜きを行ってしまう虞があり、意図せず遊技球が発射できなくなってしまうという問題もあった。
【０００６】
本発明は、このような事情に鑑みてなされたもので、受け皿及び球通路レールの球抜き操作を良好とするとともに、遊技中における球通路レールの球抜きを防止することができるパチンコ遊技機を提供することにある。
【課題を解決するための手段】
【０００７】
請求項１記載の発明は、遊技者が投入する遊技球及び払い出された賞球を受け得る受け皿と、該受け皿上の遊技球を一列に整列させつつ、遊技球を遊技盤に発射する発射装置まで延設された球通路レールと、該球通路レール上の遊技球を前記発射装置に送るための球送り装置と、前記受け皿上の遊技球を落下させ得る第１球抜き孔と、該第１球抜き孔を開放又は閉塞可能とする第１作動部材と、前記球通路レールにおける前記球送り装置直前の位置の遊技球を落下させ得る第２球抜き孔と、該第２球抜き孔を開放又は閉塞可能とする第２作動部材とを具備したパチンコ遊技機において、前記第１作動部材又は第２作動部材をそれぞれ電気的に駆動して前記第１球抜き孔又は第２球抜き孔を開放又は閉塞させる駆動手段と、該駆動手段による駆動を開始又は停止させ得る操作手段とを有するとともに、前記操作手段による球抜き開始の操作が行われた場合、遊技球が遊技盤に発射されている発射状態では、前記第１球抜き孔のみを開放させるべく前記駆動手段が前記第１作動部材のみを駆動させ、遊技球が遊技盤に発射されていない非発射状態では、前記第１球抜き孔及び第２球抜き孔の両者を開放させるべく前記駆動手段が前記第１作動部材及び第２作動部材を駆動させることを特徴とする。
【０００８】
請求項２記載の発明は、請求項１記載のパチンコ遊技機において、前記発射装置を駆動させて遊技盤に遊技球を発射させ得るハンドルに遊技者が触れているか否かを検知するタッチセンサを具備するとともに、前記発射状態は、当該タッチセンサが遊技者のハンドルへの把持を検知することにより認識されることを特徴とする。
【発明の効果】
【０００９】
請求項１の発明によれば、操作手段による球抜き開始の操作が行われた場合、遊技球が遊技盤に発射されている発射状態では、第１球抜き孔のみを開放させるべく駆動手段が第１作動部材のみを駆動させ、遊技球が遊技盤に発射されていない非発射状態では、第１球抜き孔及び第２球抜き孔の両者を開放させるべく駆動手段が第１作動部材及び第２作動部材を駆動させるので、一つの操作手段にて受け皿及び球通路レールの球抜きを行わせることができる。従って、受け皿及び球通路レールの球抜き操作を良好とするとともに、遊技中における球通路レールの球抜きを防止することができる。
【００１０】
請求項２の発明によれば、タッチセンサが遊技者のハンドルへの把持を検知することにより発射状態を認識するので、既存のパチンコ遊技機への適用が容易であり、製造コストを抑制することができる。
【発明を実施するための最良の形態】
【００１１】
以下、本発明の実施形態について図面を参照しながら具体的に説明する。
本実施形態に係るパチンコ遊技機は、図１に示すように、遊技盤（不図示）を透視し得るガラス窓２と、遊技盤上に遊技球を発射操作するためのハンドル４と、遊技者が投入する遊技球及び払い出しされた賞球等を受け得る受け皿５と、操作手段としての球抜きボタン６とが主に前面枠３に配設されたものである。
【００１２】
ハンドル４は、遊技者が把持しつつ回動操作することにより、内部の発射装置（不図示）を駆動させ、連続的に遊技盤上へ遊技球を発射させ得るものである。かかるハンドル４には、遊技者の手が触れているか否かを検知するタッチセンサ１５（図９参照）が配設されており、該タッチセンサ１５の検知状態により、遊技球が遊技盤に発射されているか否かを間接的に判別できるよう構成されている。
【００１３】
受け皿５は、前面枠３から正面側（遊技者側）に膨出して形成され、遊技者が投入する遊技球、払い戻される賞球又はファウル球等を多数収容し得るもので、その底面の一部に球抜き用の第１球抜き孔９（図５等参照）が形成されるとともに、球通路レール７（図２及び図３参照）と連結されている。かかる球通路レール７は、遊技球を遊技盤に発射する発射装置（不図示）と受け皿５とを連結したもので、当該受け皿５上の遊技球を一列に整列させつつ発射装置まで送るためのものである。
【００１４】
球通路レール７における発射装置の直前の位置には、図３に示すように、当該球通路レール７上の遊技球を発射装置に送るための球送り装置８が配設されている。即ち、受け皿５上の遊技球は、球通路レール７にて整列されつつ球送り装置８に１個づつ送り込まれ、そこから発射装置内に至った後、該発射装置の駆動により遊技盤に発射されるよう構成されているのである。
【００１５】
また、受け皿５の底面に形成された第１球抜き孔９は、図４及び図５に示すように、第１作動部材１０の動作により、開放又は閉塞され得るものであり、開放により受け皿５上の遊技球が下方に落下し得るよう構成されている。かかる第１作動部材１０は、その基端側の揺動軸１０ａを中心に揺動自在とされるとともに、先端には第１球抜き孔９を閉塞し得る閉塞部１０ｂが形成されている。
【００１６】
また、第１作動部材１０の基端は、ソレノイドＳ１（駆動手段）の作動軸Ｓ１ａと連結されており、当該ソレノイドＳ１の電気的な駆動により、閉塞位置（図４の状態）にある第１作動部材１０を、開放位置（図５の状態）まで揺動させ、第１球抜き孔９を開放させるよう構成されている。尚、ソレノイドＳ１の駆動が停止すると、スプリングＢ１の不勢力により、開放位置の第１作動部材１０が閉塞位置（初期位置）まで揺動し、第１球抜き孔９を再び閉塞し得るよう構成されている。
【００１７】
一方、球通路レール７における球送り装置８直前の位置（即ち、球通路レール７の先端位置）には、図６及び図７に示すように、第２球抜き孔１１が形成されている。かかる第２球抜き孔１１は、同図に示すように、第２作動部材１２の動作により、開放又は閉塞され得るものであり、開放により球送り装置８に送られる直前の遊技球が１個づつ下方に落下し得るよう構成されている。かかる第２作動部材１２は、その基端側の揺動軸１２ａを中心に揺動自在とされるとともに、先端には第２球抜き孔１１を閉塞し得る閉塞部１２ｂが形成されている。
【００１８】
また、第２作動部材１２の基端は、ソレノイドＳ２（駆動手段）の作動軸Ｓ２ａと連結されており、当該ソレノイドＳ２の電気的な駆動により、閉塞位置（図６の状態）にある第２作動部材１２を、開放位置（図７の状態）まで揺動させ、第２球抜き孔１１を開放させるよう構成されている。尚、ソレノイドＳ２の駆動が停止すると、スプリングＢ２の不勢力により、開放位置の第２作動部材１２が閉塞位置（初期位置）まで揺動し、第２球抜き孔１１を再び閉塞し得るよう構成されている。
【００１９】
上記した第１球抜き孔９及び第２球抜き孔１１は、図８に示すように、球抜き通路１３及び連結路１４により連結されており、当該球抜き通路１３には、下方に開口した排出口１３ａが形成されている。即ち、第１球抜き孔９から落下した遊技球は、連結路１４を介して球抜き通路１３を通過し、排出口１３ａから排出される一方、第２球抜き孔１１から落下した遊技球は、球抜き通路１３を落下して排出口１３ａから排出される。これにより、遊技終了の際、排出口１３ａの下方に賞球箱を保持しておけば、受け皿５上の遊技球と共に球通路レール７上の遊技球をも当該賞球箱に落下させ、回収することができる。
【００２０】
然るに、球抜き通路１３は、透明樹脂にて成形されたものから成り、図３に示すように、揺動軸Ｌ１及びロックＬ２を有している。これにより、球抜き通路１３に遊技球が詰まっているか否かを外部から目視することができるとともに、ロックＬ２による係止を外して揺動軸Ｌ１を中心に揺動させれば、内部に詰まった遊技球を容易に取り除くことができるよう構成されている。
【００２１】
操作手段としての球抜きボタン６は、ソレノイドＳ１又はＳ２による駆動を任意に開始又は停止させ得るものであり、押圧操作している間、ソレノイドＳ１又はＳ２を駆動させて、球抜き作業を継続して行わせるとともに、押圧操作を止めることにより、当該ソレノイドＳ１又はＳ２の駆動を停止させ、球抜き作業を終了させるよう構成されている。
【００２２】
ここで、本実施形態に係る球抜きボタン６は、図９に示すように、アンド回路１６及びタイマ回路１７と電気的に接続されているとともに、当該アンド回路１６はハンドル４に配設されたタッチセンサ１５と電気的に接続されている。また、アンド回路１６の出力側端子は、配線Ｈ１を介してソレノイドＳ２と電気的に接続されている一方、タイマ回路１７の出力側端子は、配線Ｈ２及びＨ３を介してソレノイドＳ１と電気的に接続されている。
【００２３】
アンド回路１６は、タッチセンサ１５からの電気信号（遊技者がタッチセンサ１５に触れていない非検知信号）と、球抜きボタン６からの電気信号とが両方入力された際、ソレノイドＳ２に対して駆動電力を供給し、何れか一方の信号の入力では、当該ソレノイドＳ２に対して駆動電力を供給しない（即ち、停止状態となる）よう構成された回路である。これにより、タッチセンサ１５が遊技者のハンドル４への把持を検知せず（即ち、遊技球が遊技盤に発射されていない非発射状態）、且つ、球抜きボタン６が押圧操作された場合に限って、ソレノイドＳ２を駆動させることができる。
【００２４】
また、タイマ回路１７は、球抜きボタン６から電気信号が入力されてからの時間を計数し、当該時間が予め設定した所定時間に達するまでは、配線Ｈ２を介してソレノイドＳ１を駆動させるとともに、所定時間経過後は、配線Ｈ３を介してソレノイドＳ１を駆動させ、時間による切り替え制御を可能とする回路である。しかして、配線Ｈ２を介してソレノイドＳ１へ供給される電力は、配線Ｈ１を介する電力より大きく設定されており、球抜きボタン６が押圧操作されてから所定時間までは、大きな電力にてソレノイドＳ１を駆動させ、その後においてはより小さな電力にてソレノイドＳ１を駆動させ得るよう構成されている。
【００２５】
上記構成により、遊技終了後、遊技者が球抜き操作をしようとして球抜きボタン６を押圧操作すると、遊技球が遊技盤に発射されている発射状態（タッチセンサ１５が遊技者のハンドル４への把持を検知）では、アンド回路１６の条件に合致しないためソレノイドＳ２への駆動電力が供給されず、ソレノイドＳ１への駆動電力の供給のみが行われ、第１作動部材１０が駆動して第１球抜き孔９のみを開放させる一方、遊技球が遊技盤に発射されていない非発射状態（タッチセンサ１５が遊技者のハンドル４への把持を非検知）では、アンド回路１６の条件に合致してソレノイドＳ２及びソレノイドＳ１の両者に駆動電力が供給され、第１作動部材１０及び第２作動部材１２が駆動して第１球抜き孔９及び第２球抜き孔１１の両方を開放させる。
【００２６】
即ち、遊技継続中である発射状態においては、球抜きボタン６を押圧操作しても第２球抜き孔１１は開放されず、第１球抜き孔９からのみ球抜きが行われるため、誤って球通路レール７からの球抜きを行ってしまうことを確実に回避でき、意図せず遊技球が発射できなくなってしまうことを防止することができる。また、非発射状態においては、球抜きボタン６を押圧操作するだけで、第１球抜き孔９及び第２球抜き孔１１の両方から球抜きが行われるため、別個の操作手段を具備したものに比べ、受け皿５及び球通路レール７の球抜き操作を良好とすることができる。
【００２７】
また、単に球抜きボタン６を操作するだけで、受け皿５及び球通路レール７の球抜き操作を良好とするとともに、遊技中における球通路レール７の球抜きを防止することができるので、遊技者は、発射状態であるか非発射状態であるかを意識することがなく、良好に遊技を行うことができる。更に、一般にパチンコ遊技機への適用が普及しているタッチセンサ１５が遊技者のハンドル４への把持を検知することにより発射状態を認識するので、既存のパチンコ遊技機への適用が容易であり、製造コストを抑制することができる。
【００２８】
また更に、球抜きボタン６が押圧操作されてから所定時間までは、大きな電力にてソレノイドＳ１を駆動させ、その後においてはより小さな電力にてソレノイドＳ１を駆動させ得るので、例えばハンドル４を把持しつつ球抜きボタン６の押圧状態を長時間に亘って維持させた場合であっても、ソレノイドＳ１が過熱して電気的不具合を生じるのを抑制することができる。
【００２９】
以上、本実施形態について説明したが、本発明はこれに限定されるものではなく、例えばタッチセンサ１５が遊技者のハンドル４への把持を検知することにより発射状態が認識されるものに代え、ハンドル４の回動操作を直接検知し、これにより発射状態が認識されるものとしてもよい。かかる構成によれば、遊技球の遊技盤への発射状態を直接的に検知することができ、より正確な球抜き作業を行わせることができる。
【００３０】
更に、本実施形態におけるパチンコ遊技機においては、第１作動部材１０及び第２作動部材１２を駆動するための駆動手段として、ソレノイドＳ１及びＳ２の２つを具備しているが、これらを電気的に駆動可能とするものであれば、他の駆動手段としてもよく、或いは１つの駆動手段にて選択的に第１作動部材１０及び第２作動部材１２を駆動し得るものとしてもよい。
【産業上の利用可能性】
【００３１】
操作手段による球抜き開始の操作が行われた場合、遊技球が遊技盤に発射されている発射状態では、第１球抜き孔のみを開放させるべく駆動手段が第１作動部材のみを駆動させ、遊技球が遊技盤に発射されていない非発射状態では、第１球抜き孔及び第２球抜き孔の両者を開放させるべく駆動手段が第１作動部材及び第２作動部材を駆動させるパチンコ遊技機であれば、外観形状が異なるもの或いは他の機能が付加されたものにも適用することができる。
【図面の簡単な説明】
【００３２】
【図１】本発明の実施形態に係るパチンコ遊技機の外観全体を示す正面図
【図２】同パチンコ遊技機における受け皿近傍を示す斜視図
【図３】同パチンコ遊技機における前面枠の裏側であって下部を拡大して示す模式図
【図４】同パチンコ遊技機における第１球抜き孔、第１作動部材及び駆動手段としてのソレノイドを示す上面模式図（第１球抜き孔閉塞状態）
【図５】同パチンコ遊技機における第１球抜き孔、第１作動部材及び駆動手段としてのソレノイドを示す上面模式図（第１球抜き孔開放状態）
【図６】同パチンコ遊技機における第２球抜き孔、第２作動部材及び駆動手段としてのソレノイドを示す上面模式図（第２球抜き孔閉塞状態）
【図７】同パチンコ遊技機における第２球抜き孔、第２作動部材及び駆動手段としてのソレノイドを示す上面模式図（第２球抜き孔開放状態）
【図８】同パチンコ遊技機における第１球抜き孔及び第２球抜き孔からの遊技球の落下軌跡を示す模式図
【図９】同パチンコ遊技機における第１球抜き孔及び第２球抜き孔を選択的に開放又は閉塞操作するための電気的構成を示す配線図
【符号の説明】
【００３３】
１    パチンコ遊技機
２    ガラス窓
３    前面枠
４    ハンドル
５    受け皿
６    球抜きボタン（操作手段）
７    球通路レール
８    球送り装置
９    第１球抜き孔
１０  第１作動部材
１１  第２球抜き孔
１２  第２作動部材
１３  球抜き通路
１４  連結路
１５  タッチセンサ
１６  アンド回路
１７  タイマ回路
【図１】
2006158449.tif 000003
【図２】
2006158449.tif 000004
【図３】
2006158449.tif 000005
【図４】
2006158449.tif 000006
【図５】
2006158449.tif 000007
【図６】
2006158449.tif 000008
【図７】
2006158449.tif 000009
【図８】
2006158449.tif 000010
【図９】
2006158449.tif 000011